(57)【要約】   【課題】従来のタブを持ち上げる方式のトップタブを装着した缶は、トップタブを持ち上げにくい上に力を要した。力が加わり過ぎて、内容物がこぼれる場合もあり、あるいは指を傷つけたり爪を剥がすなど、力の弱い高齢者、女性、子供、障害を持った方のみならず、健常者にとっても扱い難いものであった。  【解決手段】トップタブのタブを回転式にし、回転により開口部を押し下げて、タブの持ち上げ難さや、開口に要する力の軽減を図った。【選択図】  図１４
2014210593.tif 000002
【特許請求の範囲】
【請求項１】
缶１の上面の缶蓋２に設けられ、該缶蓋２の缶蓋パネル部Ｃの開口部Ｃ１を開口するためのトップタブ３であって、トップタブ３のタブ台座ＡがリベットＢにより缶蓋パネル部Ｃの非開口部Ｃ２に取り付けられ、前記タブ台座Ａを前記缶蓋パネル部の表面にそって前記リベットＢを中心に回転させることにより、前記缶蓋パネル部Ｃの非開口部Ｃ２に設けられた台座圧力突起Ｃ５が前記タブ台座Ａに設けられた台座被圧力突起Ａ２に接触してせり上がり、その結果前記タブ台座Ａが前記リベットＢを支点とした梃子の原理により、前記タブ台座Ａに設けられた開口部圧力突起Ａ１が前記缶蓋パネル部Ｃの開口部Ｃ１の上に設けられた開口部被圧力突起Ｃ３に接触し該開口部被圧力突起Ｃ３に圧力が加えられることにより前記缶蓋パネル部Ｃに設けられた開口部破断切り込みＤを破断させ、前記缶蓋パネル部Ｃの開口部折口Ｅを曲げて開口部Ｃ１を押し下げることを特徴とする回転式トップタブ。
【請求項２】
前記トップタブ３の回転を継続することにより、前記タブ台座Ａに設けられた開口部圧力突起Ａ１が前記缶蓋パネル部Ｃの開口部Ｃ１の上に設けられた開口部被押下突起Ｃ４を押し下げ、停止位置Ｆで停止した後、さらに前記トップタブ３を請求項１と逆方向に回転することにより前記タブ台座Ａに設けられた開口部圧力突起Ａ１が前記缶蓋パネル部Ｃの開口部Ｃ１の上に設けられた開口部被圧力突起Ｃ３の戻り受け部Ｃ９に接触し該開口部被圧力突起Ｃ３に圧力が加えられることにより前記缶蓋パネル部Ｃの開口部折口Ｅを曲げて開口部Ｃ１をさらに押し下げることを特徴とする請求項１に記載の回転式トップタブ。
【請求項３】
前記タブ台座Ａには、指で回転させやすくするための指掛けＡ３及び指穴Ａ４の少なくともいずれか一方を備えることを特徴とする請求項１または請求項２に記載の回転式トップタブ。
【請求項４】
前記タブ台座Ａに設けられた開口部圧力突起Ａ１と、前記缶蓋パネル部Ｃの開口部Ｃ１の上に設けられた開口部被圧力突起Ｃ３の戻り受け部Ｃ９が確実に接触する形状を備えることを特徴とする請求項１から請求項３のいずれかに記載の回転式トップタブ。
【請求項５】
前記タブ台座ＡをリベットＢを支点にプルトップ式として併用できることを特徴とする請求項１から請求項４のいずれかに記載の回転式トップタブ。
【発明の詳細な説明】
【技術分野】
【０００１】
本発明は、回転式トップタブに関するものである。
【背景技術】
【０００２】
従来、プルトップ式は最も便利な缶の開口方式であり、年齢を問わず利用されている。これはタブの一端と缶蓋パネル部との隙間に指先を挿入し、タブの一端を引き上げることによってタブの他端が押し下げられ、缶蓋のパネル部に設けられた開口部切り込みを破断させる構造であり、最初にタブを爪先で引っ掛ける必要がある。しかしながら、タブの一端と缶蓋のパネル部の隙間が狭く、指先がわずかしか挿入できないため、力の弱い高齢者、女性、子供には開け難い構造となっている。
【０００３】
タブの一端と缶蓋のパネル部の隙間が狭く、指先がわずかしか挿入できない点に着目して、タブの一端と缶蓋のパネル部の隙間を広くして解決を図る提案がなされている（例えば、特許文献１と特許文献２を参照）。
【０００４】
また、缶蓋のパネル部に傾斜を設けてタブを回転させ缶蓋のパネル部に設けられた開口部切り込みを破断させる構造も提案されている（例えば、特許文献３を参照）。
【先行技術文献】
【特許文献】
【０００５】
【特許文献１】特開２０００−１１８５３１号公報
【特許文献２】特開２０１１−３７４６７号公報
【特許文献３】特開２０１２−９１８７０号公報
【発明の概要】
【発明が解決しようとする課題】
【０００６】
前記、タブの一端と缶蓋のパネル部の隙間を広くして解決を図る方式では、片手で缶を支えてもう片方の手で力を入れてタブを持ち上げる必要がある。
【０００７】
タブを持ち上げる力の加減によっては缶に想定以上の力が加わり、片手で支えた缶が不安定となる。
【０００８】
開口部切り込みを破断する際に、缶に想定以上の力が加わり内容物が缶から飛び出してしまうおそれがある。
【０００９】
また、前記、タブを回転させる方式では、開口が不十分である。
【課題を解決するための手段】
【００１０】
本件発明の回転式トップタブは、缶１の上面の缶蓋２に設けられ、該缶蓋２の缶蓋パネル部Ｃの開口部Ｃ１を開口するためのトップタブ３であって、トップタブ３のタブ台座ＡがリベットＢにより缶蓋パネル部Ｃの非開口部Ｃ２に取り付けられ、前記タブ台座Ａを前記缶蓋パネル部の表面にそって前記リベットＢを中心に回転させることにより、前記缶蓋パネル部Ｃの非開口部Ｃ２に設けられた台座圧力突起Ｃ５が前記タブ台座Ａに設けられた台座被圧力突起Ａ２に接触してせり上がり、その結果前記タブ台座Ａが前記リベットＢを支点とした梃子の原理により、前記タブ台座Ａに設けられた開口部圧力突起Ａ１が前記缶蓋パネル部Ｃの開口部Ｃ１の上に設けられた開口部被圧力突起Ｃ３に接触し該開口部被圧力突起Ｃ３に圧力が加えられることにより前記缶蓋パネル部Ｃに設けられた開口部破断切り込みＤを破断させ、前記缶蓋パネル部Ｃの開口部折口Ｅを曲げて開口部Ｃ１を押し下げる。
【００１１】
本件発明の回転式トップタブは、前記トップタブ３の回転を継続することにより、前記タブ台座Ａに設けられた開口部圧力突起Ａ１が前記缶蓋パネル部Ｃの開口部Ｃ１の上に設けられた開口部被押下突起Ｃ４を押し下げ、停止位置Ｆで停止した後、さらに前記トップタブ３を請求項１と逆方向に回転することにより前記タブ台座Ａに設けられた開口部圧力突起Ａ１が前記缶蓋パネル部Ｃの開口部Ｃ１の上に設けられた開口部被圧力突起Ｃ３の戻り受け部Ｃ９に接触し該開口部被圧力突起Ｃ３に圧力が加えられることにより前記缶蓋パネル部Ｃの開口部折口Ｅを曲げて開口部Ｃ１をさらに押し下げる。
【００１２】
本件発明の回転式トップタブのタブは、前記タブ台座Ａには、指で回転させやすくするための指掛けＡ３及び指穴Ａ４の少なくともいずれか一方を備える。
【００１３】
本件発明の回転式トップタブのタブは、前記タブ台座Ａに設けられた開口部圧力突起Ａ１と、前記缶蓋パネル部Ｃの開口部Ｃ１の上に設けられた開口部被圧力突起Ｃ３の戻り受け部Ｃ９が確実に接触する形状を備える。
【００１４】
本件発明の回転式トップタブのタブは、前記タブ台座ＡをリベットＢを支点にプルトップ式として併用できる。
【発明の効果】
【００１５】
タブを缶蓋パネル部にそって回転させるので片手で操作でき、力を入れてタブを持ち上げる必要がない。
【００１６】
タブを持ち上げる必要がないので、缶が不安定とならない。
【００１７】
開口部切り込みを破断する際に、内容物が缶から飛び出すおそれはない。
【００１８】
タブを回転させ、更に逆方向に回転させることにより充分な開口を可能とする。
【図面の簡単な説明】
【００１９】
【図１】図１は、缶を示した説明図である。
【図２】図２は、缶の上部の平面図である。
【図３】図３は、トップタブの平面図である。
【図４】図４は、トップタブを缶蓋パネル部に取り付けた状態を示した平面図である。
【図５】図５は、缶蓋断面図の切断位置を示した説明図である。
【図６】図６は、開口部被圧力突起と開口部被押下突起を説明した断面図である。
【図７】図７は、台座圧力突起と台座押上突起を説明した断面図である。
【図８】図８は、開口部被押下突起と台座押上突起を説明した断面図である。
【図９】図９は、台座安定凹部を説明した断面図である。
【図１０】図１０は、トップタブの側面図である。
【図１１】図１１は、トップタブ断面図の切断位置を示した説明図である。
【図１２】図１２は、台座被圧力突起を説明した断面図である。
【図１３】図１３は、開口部圧力突起を説明した断面図である。
【図１４】図１４は、缶を開けるときのトップタブの回転を示す説明図である。（実施例１）
【図１５】図１５は、図１４に連続し、トップタブの逆回転を示す説明図である。（実施例２）
【図１６】図１６は、未使用時の状態を示した側面図である。（実施例３）
【図１７】図１７は、開口部の開く過程を説明した説明図である。（実施例３）
【図１８】図１８は、開口部の開く過程を説明した説明図である。（実施例３）
【図１９】図１９は、開口部の開く過程を説明した説明図である。（実施例３）
【図２０】図２０は、開口部の開く過程を説明した説明図である。（実施例３）
【図２１】図２１は、開口部圧力突起と開口部被押下突起の側面図である。（実施例４）
【発明を実施するための形態】
【００２０】
本願発明の回転式トップタブについて、缶の形態を示す図１により説明する。
缶１の缶蓋２に、トップタブ３のタブ台座ＡがリベットＢにより取り付けられている。
【００２１】
本願発明の回転式トップタブについて、缶の上部を示す図２により説明する。
前記缶蓋２の缶蓋パネル部Ｃは、開口部Ｃ１と非開口部Ｃ２からなり、前記開口部Ｃ１と前記非開口部Ｃ２の境界は、開口部破断切り込みＤと開口部折口Ｅで接し、前記開口部破断切り込みＤが破断されると前記開口部折口Ｅのみにて前記開口部Ｃ１と前記非開口部Ｃ２が接続する構造である。
前記缶蓋パネル部Ｃの前記非開口部Ｃ２には、中央付近にリベットＢが取り付けられ、台座圧力突起Ｃ５と台座押上突起Ｃ６と台座安定凹部Ｃ７と台座安定凹部Ｃ８が設けられている。
前記缶蓋パネル部Ｃの前記開口部Ｃ１には、開口部被圧力突起Ｃ３と開口部被押下突起Ｃ４が設けられている。
【００２２】
本願発明の回転式トップタブについて、前記トップタブ３の平面を示す図３により説明する。
本願発明の回転式トップタブについて、前記トップタブ３のタブ台座Ａには、開口部圧力突起Ａ１と台座被圧力突起Ａ２と指掛けＡ３と指穴Ａ４が設けられ、リベットＢが取り付けられる構造となっている。
【００２３】
本願発明の回転式トップタブについて、前記トップタブ３を前記缶蓋パネル部Ｃに取り付けた状態を示した平面図である図４により説明する。
前記非開口部Ｃ２と前記タブ台座ＡがリベットＢで結合し、前記トップタブ３は前記缶蓋パネル部Ｃの表面にそって回転する構造となっている。
工場集荷状態、すなわち未使用の初期状態においては、前記開口部圧力突起Ａ１と台座被圧力突起Ａ２は、前記開口部Ｃ１に設けられた前記開口部被圧力突起Ｃ３や前記開口部被押下突起Ｃ４ならびに前記非開口部Ｃ２に設けられた前記台座圧力突起Ｃ５や前記台座押上突起Ｃ６に接触していない。
前記開口部破断切り込みＤは破断されておらず、前記開口部Ｃ１と前記非開口部Ｃ２は接続している。
前記開口部圧力突起Ａ１と台座被圧力突起Ａ２は、前記非開口部Ｃ２に設けられた前記図２の台座安定凹部Ｃ８と台座安定凹部Ｃ７に位置している。
【００２４】
図５は、缶蓋パネル部Ｃを説明する断面図の切断位置を示した説明図である。
【００２５】
図６は図５のａ−ａ’の断面図である。
前記非開口部Ｃ２に囲まれた前記開口部Ｃ１には、前記開口部被圧力突起Ｃ３と前記開口部被押下突起Ｃ４が設けられ、前記開口部被押下突起Ｃ４の端が戻り受け部Ｃ９である。
【００２６】
図７は図５のｂ−ｂ’の断面図である。
前記非開口部Ｃ２には、前記台座圧力突起Ｃ５と前記台座押上突起Ｃ６が設けられている。
【００２７】
図８は図５のｃ−ｃ’の断面図である。
前記非開口部Ｃ２には、前記台座押上突起Ｃ６が設けられ、前記リベットＢが取り付けられている。
前記開口部Ｃ１には、前記開口部被押下突起Ｃ４が設けられている。
【００２８】
図９は図５のｄ−ｄ’の断面図である。
前記非開口部Ｃ２には、前記台座安定凹部Ｃ７と前記台座安定凹部Ｃ８が設けられ、前記リベットＢが取り付けられている。
【００２９】
図１０は、前記トップタブ３を説明する側面図である。
前記タブ台座Ａには前記開口部圧力突起Ａ１と前記台座被圧力突起Ａ２と前記指掛けＡ３が設けられ、前記リベットＢが取り付けられている。
【００３０】
図１１は、前記トップタブ３を説明する断面図の切断位置を示した説明図である。
【００３１】
図１２は、図１１のｅ−ｅ’の断面図である。
前記タブ台座Ａには前記台座被圧力突起Ａ２と前記指掛けＡ３が設けられている。
【００３２】
図１３は、図１１のｆ−ｆ’の断面図である。
前記タブ台座Ａには前記開口部圧力突起Ａ１が設けられている。
前記タブ台座Ａが時計回りの方向に回転するときは、前記開口部圧力突起Ａ１の接触面がスムーズに展開するように半円形の断面を形成し、前記タブ台座Ａが反時計回りの方向に反転するときは、前記開口部圧力突起Ａ１の接触面が確実に接触できるように切り立った断面を形成している。
【００３３】
図１４は、前記トップタブ３が缶蓋２を開けるときの回転を時系列で示す実施例１の説明図である。
前掲図４の出荷状態から、前記指掛けＡ３と前記指穴Ａ４のいずれか１ヶ所以上に指を添えて、リベットＢを中心に時計方向に回転してきたところが図１４の回転１である。
前記タブ台座Ａに設けられた前記台座被圧力突起Ａ２が前記非開口部Ｃ２に設けられた前記台座圧力突起Ｃ５に接触し、前記タブ台座Ａが前記リベットＢを支点とした梃子の原理で前記タブ台座Ａに設けられた前記開口部圧力突起Ａ１が前記開口部Ｃ１に設けられた前記開口部被圧力突起Ｃ３を押し下げ、その結果、前記開口部破断切り込みＤが破断して、前記開口部Ｃ１と前記非開口部Ｃ２が分離する。
さらに、本図の回転２から回転４にかけては、前記トップタブ３が前記リベットＢを中心に時計方向に回転を続け、前記台座被圧力突起Ａ２が前記非開口部Ｃ２の前記台座押上突起Ｃ６によって圧力を受け続け、前記リベットＢを支点とした梃子の原理で前記タブ台座Ａに設けられた前記開口部圧力突起Ａ１が前記開口部Ｃ１に設けられた前記開口部被押下突起Ｃ４を押し下げ、前記開口部Ｃ１の開きを大きくする。
【００３４】
図１５は、前図１４の続きであり、前図１４の回転４からの前記トップタブ３の回転を時系列で示す実施例２の説明図である。
図１５の回転４を経過し、回転５では前記開口部Ｃ１が押し下げられて出現した段差である停止位置Ｆに前記開口部圧力突起Ａ１が接触し、前記トップタブ３の時計回りの回転は終了する。
回転６は、前記トップタブ３の時計回りの回転終了に継続して、反時計回りに前記トップタブ３を反転させたところを示し、前記開口部Ｃ１に設けられた前記開口部被押下突起Ｃ４の戻り受け部Ｃ９に前記開口部圧力突起Ａ１が接触し、前記開口部Ｃ１の開きを一層大きくする。
【００３５】
図１６は、前掲図４の側面図であり、実施例３の説明図である。
工場集荷状態、すなわち未使用の初期状態においては、前記トップタブ３の前記タブ台座Ａが前記開口部Ｃ１に前記リベットＢで結合し、前記タブ台座Ａに設けられた前記開口部圧力突起Ａ１と前記台座被圧力突起Ａ２は、前記非開口部Ｃ２に設けられた前記台座安定凹部Ｃ８と前記台座安定凹部Ｃ７にそれぞれ嵌め込まれて安定し、前記指掛けＡ３に力を加えない限り、自動でトップタブ３が回転することはない。前記開口部破断切り込みＤが破断されることはなく、前記開口部Ｃ１と前記非開口部Ｃ２は接続している。
【００３６】
図１７は、前掲図１４の前記トップタブ３の回転に対応した前記トップタブ３の側面図であり、実施例３の説明図である。
初期状態から前記指掛けＡ３を指で操作して時計方向に回転した前記トップタブ３は、前記タブ台座Ａに設けられた前記台座被圧力突起Ａ２が前記非開口部Ｃ２に設けられた前記台座圧力突起Ｃ５に接触し、前記タブ台座Ａが前記リベットＢを支点とした梃子の原理で前記タブ台座Ａに設けられた前記開口部圧力突起Ａ１が前記開口部Ｃ１に設けられた前記開口部被圧力突起Ｃ３を押し下げ、その結果、前記開口部破断切り込みＤが破断して、前記開口部Ｃ１と前記非開口部Ｃ２が分離する。
【００３７】
図１８は、前掲図１４の前記トップタブ３の回転に対応した前記トップタブ３の側面図であり、実施例３の説明図である。
前掲図１４の回転２から回転４に対応した本図１８においては、前記タブ台座Ａに設けられた前記台座被圧力突起Ａ２が前記非開口部Ｃ２の前記台座押上突起Ｃ６によって圧力を受け続け、前記リベットＢを支点とした梃子の原理で前記タブ台座Ａに設けられた前記開口部圧力突起Ａ１が前記開口部Ｃ１に設けられた前記開口部被押下突起Ｃ４を押し下げ、前記開口部Ｃ１の開きを大きくする。
【００３８】
図１９は、前掲図１５の前記トップタブ３の回転に対応した前記トップタブ３の側面図であり、実施例３の説明図である。
前掲図１５の回転５に対応した本図１９においては、前記開口部Ｃ１が押し下げられて出現した段差である停止位置Ｆに前記開口部圧力突起Ａ１が接触し、前記トップタブ３の時計回りの回転は終了する。
回転が終了すると前記タブ台座Ａに設けられた前記開口部圧力突起Ａ１は前記開口部Ｃ１に設けられた前記開口部被押下突起Ｃ４を外れるが、前記台座被圧力突起Ａ２が前記非開口部Ｃ２の前記台座押上突起Ｃ６の圧力を受けた状態であり、前記リベットＢを支点とした梃子の原理で前記タブ台座Ａに設けられた前記開口部圧力突起Ａ１は前記開口部Ｃ１に対する圧力は継続している。しかしながら、前記開口部Ｃ１に設けられた前記開口部被押下突起Ｃ４に対する圧力を経由しないため、若干、前記開口部Ｃ１は押し下げられた位置を元に戻す。
【００３９】
図２０は、前掲図１５の前記トップタブ３の回転に対応した前記トップタブ３の側面図であり、実施例３の説明図である。
前掲図１５の回転６に対応した本図２０においては、前記トップタブ３が時計と反対回りに回転を開始し、再度、前記タブ台座Ａに設けられた前記開口部圧力突起Ａ１が前記開口部Ｃ１に設けられた前記開口部被押下突起Ｃ４に接触して圧力を加えることになる。
前記トップタブ３が時計と反対回りに回転するために、前記タブ台座Ａに設けられた前記開口部圧力突起Ａ１が前記開口部Ｃ１に設けられた前記開口部被押下突起Ｃ４に接触するのは、該開口部被押下突起Ｃ４の末端の前記戻り受け部Ｃ９となる。
該戻り受け部Ｃ９が前記タブ台座Ａに設けられた前記開口部圧力突起Ａ１により時計と逆回りの方向に圧力を受け、これを受けて、前記開口部Ｃ１に設けられた前記開口部被押下突起Ｃ４が前記開口部Ｃ１を押し下げる。
【００４０】
図２１は、実施例４の説明図であり、前記開口部圧力突起Ａ１と前記開口部被押下突起Ｃ４の側面図である。
前記トップタブ３が時計と反対回りに回転するために、前記タブ台座Ａに設けられた前記開口部圧力突起Ａ１が前記開口部Ｃ１に設けられた前記開口部被押下突起Ｃ４に接触するのは、該開口部被押下突起Ｃ４の末端の前記戻り受け部Ｃ９となる。
前記戻り受け部Ｃ９の形状と前記開口部圧力突起Ａ１はより確実に接触し、前記開口部圧力突起Ａ１からの圧力を前記戻り受け部Ｃ９に充分に受け渡せる形状が推奨される。これにより、トップタブ３の矢印Ｘの方向の力を前記戻り受け部Ｃ９に伝え、前記開口部Ｃ１が回転矢印Ｙの方向に充分に押し下げられ、前記開口部折口Ｅを充分に折り曲げることができる。
【産業上の利用可能性】
【００４１】
力の弱い高齢者、女性、子供に対しても開けやすい缶を提供できる。
【符号の説明】
【００４２】
１     缶
２     缶蓋
３     トップタブ
Ａ     タブ台座
Ａ１   開口部圧力突起
Ａ２   台座被圧力突起
Ａ３   指掛け
Ａ４   指穴
Ｂ     リベット
Ｃ     缶蓋パネル部
Ｃ１   開口部
Ｃ２   非開口部
Ｃ３   開口部被圧力突起
Ｃ４   開口部被押下突起
Ｃ５   台座圧力突起
Ｃ６   台座押上突起
Ｃ７   台座安定凹部
Ｃ８   台座安定凹部
Ｃ９   戻り受け部
Ｄ     開口部破断切り込み
Ｅ     開口部折口
Ｆ     停止位置
Ｘ     矢印
Ｙ     回転矢印
【図１】
2014210593.tif 000003
【図２】
2014210593.tif 000004
【図３】
2014210593.tif 000005
【図４】
2014210593.tif 000006
【図５】
2014210593.tif 000007
【図６】
2014210593.tif 000008
【図７】
2014210593.tif 000009
【図８】
2014210593.tif 000010
【図９】
2014210593.tif 000011
【図１０】
2014210593.tif 000012
【図１１】
2014210593.tif 000013
【図１２】
2014210593.tif 000014
【図１３】
2014210593.tif 000015
【図１４】
2014210593.tif 000016
【図１５】
2014210593.tif 000017
【図１６】
2014210593.tif 000018
【図１７】
2014210593.tif 000019
【図１８】
2014210593.tif 000020
【図１９】
2014210593.tif 000021
【図２０】
2014210593.tif 000022
【図２１】
2014210593.tif 000023